(57)【要約】【課題】表示部を所定角度以上に回動できるようにするとともに、回動範囲を拡大しても安全性は確保される血圧計を提供する。【解決手段】表示部10と、ベース部20と、が回動調整ヒンジ30を介して連結され、回動調整ヒンジ30は、所定角度までは、段階的に角度停止可能に自在に回動し、所定角度以上には、該回動調整ヒンジの摺動面302,304の抵抗が前記所定角度域における抵抗よりも大きくなる抵抗増加手段324,341を経て回動するようにした。これにより、表示部10は、所定角度以上には一定の負荷をかけなければ動じないので、回動範囲が拡大するとともに、自重で倒れることもない。【選択図】図２
2015131037.tif 000002
【特許請求の範囲】
【請求項１】
測定値を示す水銀柱を電子的に表示する電子表示部を備える表示部と、
前記表示部の支持台となるベース部と、を備え、
前記表示部の基端部が、前記ベース部の一端部に、回動調整ヒンジを介して連結され、
前記回動調整ヒンジは、
所定角度までは、段階的に角度停止可能に自在に回動し、
所定角度以上には、該回動調整ヒンジの摺動面の抵抗が前記所定角度域の摺動面における抵抗よりも大きくなる抵抗増加手段を経て回動するよう構成される
ことを特徴とする血圧計。
【請求項２】
前記抵抗増加手段は、前記回動調整ヒンジの一方の摺動面に設けられた抵抗増加用突起と、他方の摺動面に設けられた摺動方向と交わる方向に亘る抵抗増加用リブである
ことを特徴とする請求項１に記載の血圧計。
【請求項３】
前記一方の摺動面は、弾性素材からなるヒンジプレートであり、他方の摺動面は、前記表示部の基端部の外側面に設けられた凹状のヒンジホルダー部である
ことを特徴とする請求項２に記載の血圧計。
【請求項４】
前記ヒンジプレートの周側面には、停止角度用リブが突出形成され、前記ヒンジホルダー部の内周壁には、前記所定角度域に対応する位置に、前記停止角度用リブと係合する停止角度用リブ溝が、前記段階的停止角度に対応する位置に形成されている
ことを特徴とする請求項３に記載の血圧計。
【請求項５】
前記血圧計は、前記ヒンジホルダー部に前記ヒンジプレートを位置合わせして嵌め、前記ヒンジプレートに、前記ベース部の一端部を、位置決め手段を介して被せ、ベース部外側からヒンジ中心をリベット固定して組み立てる
ことを特徴とする請求項４に記載の血圧計。
【請求項６】
前記表示部の基端部には、電池収納部が設けられている
ことを特徴とする請求項１〜５のいずれかに記載の血圧計。
【請求項７】
前記所定角度は９０度である
ことを特徴とする請求項１〜６のいずれかに記載の血圧計。
【発明の詳細な説明】
【技術分野】
【０００１】
本発明は、オペレータがコロトコフ音を聴診器で聞きながら血圧を測定するための血圧計に関する。
【背景技術】
【０００２】
現在、医師等の専門家がオペレータとなる血圧測定に用いられる血圧計としては、血液の流れから発生する音（コロトコフ音）
を聴診器で聞きながら、最高血圧及び最低血圧を判断するものが一般的である。このような専門家による血圧測定の分野において広く普及しているのは、水銀柱式血圧計、または水銀柱を電子表示で模した電子血圧計である。
【０００３】
この種の血圧計は、測定値を示す水銀柱（または水銀柱を模した電子表示部）を備えた表示部と、この表示部の支持台となるベース部と、を備えている。
【０００４】
表示部は、使用時には、オペレータが水銀柱の動きを見易いように、起立させる。電子表示部を用いたものには、表示部が完全に直立した状態では、光線の状況やオペレータの位置によって表示が見にくい場合があることに備えて、表示部を倒す（オペレータの視線から遠のく方向に傾斜させる）ことが可能になっている。
【０００５】
例えば特許文献１では、表示部の基端部が、ベース部の一端部に、停止角度調整ヒンジを介して連結されており、表示部は、ヒンジを基点に水平の状態から垂直に起立する状態まで、０度〜９０度の範囲内で回動し、かつこの角度域で５段階に角度停止できるようになっている。
【先行技術文献】
【特許文献】
【０００６】
【特許文献１】特開２００７−１１７３７３号公報（段落００４３、図１等）
【発明の概要】
【発明が解決しようとする課題】
【０００７】
ところで、表示部の視認性の観点からは、オペレータの視線から遠のく方向に表示部を倒す（表示部を０度〜９０度の間で位置固定する）機構を持つことが望まれる一方で、表示部が９０度以上に傾斜すると、オペレータが水銀柱を視認できなくなるうえに、表示部が自重で落下するおそれがあり、安全性の観点から好ましくない。このような理由から、特許文献１をはじめ、この種の血圧計は、表示部が９０度以上には開かない機構を採っている。
【０００８】
しかし、このような機構であっては、装置の使い勝手が悪いという問題があった。例えば特許文献１の血圧計は、表示部の基端部の内側に、電池収納部を備えており、９０度以上に開かない機構であっては、ベース部と干渉して、電池を取り出しにくいという問題があった。
【０００９】
本発明は、従来技術の問題を解決するためになされたものであり、表示部を所定角度以上に回動できるようにするとともに、回動範囲を拡大しても安全性は確保される血圧計を提供することを目的とする。
【課題を解決するための手段】
【００１０】
前記目的を達成するために、本発明に係る血圧計は、測定値を示す水銀柱を電子的に表示する電子表示部を備える表示部と、前記表示部の支持台となるベース部と、を備え、前記表示部の基端部が、前記ベース部の一端部に、回動調整ヒンジを介して連結され、前記回動調整ヒンジは、所定角度までは、段階的に角度停止可能に自在に回動し、所定角度以上には、該回動調整ヒンジの摺動面の抵抗が前記所定角度域の摺動面における抵抗よりも大きくなる抵抗増加手段を経て回動するよう構成した。
【００１１】
好ましくは、前記抵抗増加手段は、前記回動調整ヒンジの一方の摺動面に設けられた抵抗増加用突起と、他方の摺動面に設けられた摺動方向と交わる方向に亘る抵抗増加用リブとする。
【００１２】
好ましくは、前記一方の摺動面は、弾性素材からなるヒンジプレートとし、他方の摺動面は、前記表示部の基端部の外側面に設けられた凹状のヒンジホルダー部とする。
【００１３】
好ましくは、前記ヒンジプレートの周側面には、停止角度用リブを突出形成し、前記ヒンジホルダー部の内周壁には、前記所定角度域に対応する位置に、前記停止角度用リブと係合する停止角度用リブ溝を、前記段階的停止角度に対応する位置に形成する。
【００１４】
好ましくは、前記血圧計は、前記ヒンジホルダー部に前記ヒンジプレートを位置合わせして嵌め、前記ヒンジプレートに、前記ベース部の一端部を、位置決め手段を介して被せ、ベース部外側からヒンジ中心をリベット固定して組み立てる。
【００１５】
好ましくは、前記表示部の基端部には、電池収納部を設ける。
【００１６】
好ましくは、前記所定角度は９０度とする。
【発明の効果】
【００１７】
本発明によれば、表示部と、表示部の支持台となるベース部と、を備える血圧計で、回動調整ヒンジを基点に回動する表示部が、回動の途中で抵抗が変わる（大きくなる）ように構成した。これにより、本発明の血圧計の表示部は、所定角度内では自在に回動するが、所定角度以上には回動が硬くなり、一定の負荷をかけなければ動じないので、回動範囲が拡大し、装置の使い勝手が向上されるとともに、表示部が自重で倒れることがないので、安全に使用することができる。
【００１８】
回動が所定角度以上に及ぶ際の抵抗増加手段は、回動調整ヒンジの一対の摺動面において、一方の摺動面に設けた抵抗増加用突起と、他方の摺動面に設けた前記突起と干渉するように摺動方向と交わる方向に形成した抵抗増加用リブで構成するのが好ましい。
【００１９】
また、回動調整ヒンジの一方の摺動面は、弾性素材のヒンジプレートとし、他方の摺動面は、表示部の基端部にヒンジホルダー部を一体形成する構成が好ましい。これにより、回動調整ヒンジの部品点数が削減され、かつ組み立ても容易となる。
【００２０】
より好ましくは、抵抗増加用突起をヒンジプレートの裏面（一方の摺動面）に、抵抗増加用リブをヒンジホルダー部の底面（他方の摺動面）に設け、また、ヒンジプレートの周側面に停止角度用リブを、ヒンジホルダー部の内周壁に、段階停止させたい角度に停止角度用リブ溝を形成する。これにより、表示部を回動させると、所定角度域では、停止角度用リブと停止角度用リブ溝によって、段階的回動（段階的角度での固定）が可能であり、所定角度を超えようとする回動に対しては、抵抗増加用突起と抵抗増加用リブが干渉して、この物理的抵抗以上の負荷をかけない限り、所定角度以上に回動不能となる。
【００２１】
また、本発明の血圧計は、前記の回動調整ヒンジを用いたことで、ヒンジプレートを表示部のヒンジホルダー部に位置合わせして嵌め、ヒンジプレートにベース部の一端部を位置決め手段を介して被せ、ヒンジ中央を外側からリベット止めするだけで組み上がるので、組み立てが簡単容易である。
【図面の簡単な説明】
【００２２】
【図１】本発明の血圧計の外観を示す斜視図
【図２】本発明の血圧計の要部である停止角度調整ヒンジの分解斜視図
【図３】本発明のベース部の断面図
【図４】本発明の表示部の側面図
【図５】本発明の表示部の電池収納部を示す断面図
【図６】本発明のヒンジプレートの表面を示す正面図
【図７】本発明のヒンジプレートの裏面を示す背面図
【図８】本発明のヒンジプレートの側面図
【図９】本発明のヒンジプレートの断面図
【図１０】本発明のヒンジプレートの断面図
【図１１】本発明の組み立て手順の説明図
【図１２】本発明の血圧計の側面図
【発明を実施するための形態】
【００２３】
次に、図面を参照して本発明の好適な一実施例について説明する。図１は、本発明の血圧計の外観を示す斜視図、図２は、本発明の血圧計の要部である停止角度調整ヒンジの分解斜視図、である。
【００２４】
図に示す血圧計１は、オペレータＰがコロトコフ音を聴診器で聞きながら血圧を測定するタイプのものであって、主に、カフ２と、カフ２に空気を圧入するための送気球４と、血圧値を表示する水銀柱ゲージを液晶表示により模した電子表示部１１を備えた表示部１０と、表示部１０の支持台となるベース部２０と、送気球４・カフ２間及びカフ２・表示部１０間をつなぐエアホース５と、送気球４とエアホース５との間に介在された排気弁６と、を備えている。うち、本発明の要旨となる表示部１０とベース部２０、及びこれらの回動に関する回動調整ヒンジ３０に関する部分を図示する。その他の部分は、血圧計に用いられるものとして周知のもので良く、図示を省略する。
【００２５】
オペレータＰは、被測定部にカフ２を装着し、表示部１０内の制御部３を起動させ、コロトコフ音を聴診器で聞きながら、送気球４でカフ２内の空気袋を膨張させて被測定部を加圧し、目標加圧値に到達したら加圧を止め、排気弁６を緩めて阻血状態を解除する。カフ２内には圧力センサが設置されており、これによりカフ圧信号や生体の脈波信号が検出され、制御部３において血圧値、脈拍数等に換算される。電子表示部１１には、その時々の血圧値や脈拍数等が表示される。
【００２６】
表示部１０の基端部１０ｂは、ベース部２０の一端部２０ｂに、回動調整ヒンジ３０を介して連結されている。図１では、回動調整ヒンジ３０は、目隠し蓋８で覆い隠されている。
【００２７】
まず、ベース部２０について、図１〜図３を用いて説明する。図３は、本発明のベース部の断面図（図２に示すＩＩＩ−ＩＩＩ断面図）である。
【００２８】
ベース部２０は、上方に開口するケース状になっており、非使用時には、ベース部２０内にカフ２や送気球４等を収納できる。ベース部２０の他端部２０ｔは、表示部１０の先端部１０ｔと係合するようになっており、表示部１０を水平状態にすると、表示部１０がベース部２０の上蓋として機能する。
【００２９】
ベース部一端部２０ｂは、後述するヒンジプレート３２を介した状態で、表示部基端部１０ｂと固定される。このため、ベース部一端部２０ｂの左右両側面には、その中央部に、後述するリベット止め用のリベット穴２０７と、後述する位置決め手段である、スリット２０３と、ネジ穴２０１、２０１、２０１と、が形成されており、さらに、目隠し蓋８に形成した固定フック（図示せず）と係合するフック孔２０８、２０８、２０８が形成されている。
【００３０】
次に、表示部１０について、図１、２、４、５を用いて説明する。図４は、本発明の表示部の側面図、図５は、本発明の表示部の電池収納部を示す断面図（図２に示す線ＩＶ−ＩＶに沿う断面図）、である。
【００３１】
表示部１０は、側方から見て、その基端部１０ｂに膨張部を有するＰ字状の板材であって、上面に電子表示部１１を備え、内部に制御部３を備えている。表示部基端部１０ｂの左右外側面には、後述するヒンジプレート３２の受け部となる凹状のヒンジホルダー部３４Ｌ，３４Ｒが一体形成されている。本明細書に言う回動調整ヒンジ３０は、主として、このヒンジプレート３２とヒンジホルダー部３４Ｌ，３４Ｒにより構成される。なお、ヒンジホルダー部３４Ｌ，３４Ｒの詳細は後述する。
【００３２】
表示部基端部１０ｂには、電池収納部１２が形成されている。表示部基端部１０ｂの内側、すなわちベース部２０に収納される位置には、電池収納部１２の電池蓋１２ｃが形成されている（図２、図５参照）。
【００３３】
次に、ヒンジプレート３２について図６〜１０を用いて説明する。図６は、本発明のヒンジプレートの表面を示す正面図、図７は、本発明のヒンジプレートの裏面を示す背面図、図８は、本発明のヒンジプレートの側面図、図９は、本発明のヒンジプレートの断面図（図７に示す線ＩＸ-ＩＸに沿う断面図）、図１０は、本発明のヒンジプレートの断面図（図７に示す線Ｘ-Ｘに沿う断面図）、である。
【００３４】
ヒンジプレート３２は、ヒンジホルダー部３４Ｌ，３４Ｒに挿入される円板状の部品である。すなわち、ヒンジホルダー部３４Ｌ，３４Ｒの底面が、請求項にいう回動調整ヒンジ３０の他方の摺動面（以下、ホルダー側摺動面）３０４であり、ホルダー側摺動面３０４と対面するヒンジプレート３２の裏面が請求項にいう一方の摺動面（以下プレート側摺動面）３０２となる。ヒンジプレート３２は、ヒンジホルダー部３４Ｌ，３４Ｒで共通に用いられる。ヒンジプレート３２は、後述する弾性変形を起こすように、性素材で形成されるのが好ましく、柔らかな樹脂、一例としてはポリアセタール、ポリプロピレン等が好ましい。
【００３５】
ヒンジプレート３２の表面（プレート側摺動面３０２の反対面）３０２ｓには、ベース部２０の一端部２０ｂとの位置決め手段である位置合わせ用の外方突起３２３と、同心円状等間隔３箇所に、プレート周方向の位置決め手段であるネジ止め用のネジ穴３２１、３２１、３２１と、が形成されている。また、ヒンジプレート３２の中心には、後述するリベット止め用のリベット穴３２７が形成されている。
【００３６】
ヒンジプレート３２の周側面には、周方向等間隔に２箇所、すなわち周方向に１８０度の間隔で、半径方向に延出する半円状の停止角度用リブ３２０１、３２０６が形成されている。停止角度用リブ３２０１、３２０６の内周位置には、停止角度用リブ３２０１、３２０６にプレート半径方向の弾性を備えさせるために、周方向所定幅に抜き部３２２１、３２２６が形成されている。ヒンジプレート表面３０２ｓには、停止角度用リブ３２０１が、表示部１０を水平状態としたときにヒンジホルダー部３４Ｌ，３４Ｒの最下点となる位置（図４参照。以下、基準位置３４ｂという）に配置されるよう、位置合わせ用の印３２６が付されている。
【００３７】
ヒンジプレート３２の裏面（プレート側摺動面）３０２には、停止角度用リブ３２０１をヒンジホルダー部３４Ｌ，３４Ｒの基準位置３４ｂにそれぞれセットし回動調整ヒンジ３０を正面視した際に、基準位置３４ｂから時計回りに１１０度となる位置に、プレート側摺動面３０２から若干突出する抵抗増加用突起３２４が形成されている（図６参照）。抵抗増加用突起３２４は、プレート半径方向に亘る線支承部３２５の中央部に形成されている。線支承部３２５は、その周方向両側を抜くことで形成され、部材厚は他の箇所よりも薄く形成されている（図７、図１０参照）。この線支承部３２５により、抵抗増加用突起３２４は、プレート厚み方向に所定の弾性を備えている。
【００３８】
次に、ヒンジホルダー部３４Ｌ，３４Ｒについて説明する。ヒンジホルダー部３４Ｌ，３４Ｒは、円凹形状であり、それぞれの底面（ホルダー側摺動面３０４）には、中央に、後述するリベット止め用のリベット穴３４７が形成され、基準位置３４ｂには、位置合わせ用の印３４６が付されている。
【００３９】
ヒンジホルダー部３４Ｌの内周壁には、回動調整ヒンジ３０を正面視した際に、第３象限の域に、時計回りに２２．５度刻みに、略半円形状に半径方向に窪む停止角度用リブ溝３４０１、３４０２、３４０３、３４０４、３４０５と、第１象限の域に、同様の停止角度用リブ溝３４０６、３４０７、３４０８、３４０９、３４１０が形成されている（図４参照）。
【００４０】
ヒンジホルダー部３４Ｒの内周壁には、回動調整ヒンジ３０を正面視した際に、第２象限の域に、半時計回りに２２．５度刻みに、同様の停止角度用リブ溝３４０１、３４０２、３４０３、３４０４、３４０５と、第４象限の域に、同様の停止角度用リブ溝３４０６、３４０７、３４０８、３４０９、３４１０が形成されている（図３参照）。
【００４１】
また、ヒンジホルダー部３４Ｌ，３４Ｒのホルダー側摺動面３０４には、半径方向に亘る（すなわち、摺動方向と直交する）抵抗増加用リブ３４１がライン状に突出形成されている。抵抗増加用リブ３４１は、ヒンジホルダー部３４Ｌでは、第１象限の域で２０度の位置（すなわち、ヒンジプレート３２が時計回りで摺動して９０度移動した位置）に、ヒンジホルダー部３４Ｒでは、第３象限の域で２０度の位置（すなわち、ヒンジプレート３２が半時計回りで摺動して９０度移動した位置）に、形成されている。なお、ヒンジホルダー部３４Ｌ，３４Ｒで停止角度用リブ溝３４０１〜３４１０及び抵抗増加用リブ３４１の形成位置が異なるのは、ヒンジプレート３２を左右共通部品としたことによるものである。
【００４２】
次に、血圧計１の組立手順について説明する。図１３は、本発明の組み立て手順の説明図、である。
【００４３】
まず、ステップＳ１で、制御部３、電子表示部１１等を装着し、表示部１０を組み立てる。次に、ステップＳ２で、ヒンジプレート３２を表示部１０のヒンジホルダー部３４Ｌ，３４Ｒに挿入する。この際、ヒンジプレート３２の印３２６をヒンジホルダー３４Ｌ，３４Ｒの印３４６で位置合わせする。次に、ステップＳ３で、ヒンジプレート表面３０２ｓにベース一部端部２０ｂを被せる。この際、ヒンジプレート３２の外方突起３２３とベース部一端部２０ｂのスリット２０３を係合させて位置決めをする。次に、ステップＳ４で、ヒンジプレート３２のネジ穴３２１、３２１、３２１とベース部一端部２０ｂのネジ穴２０１、２０１、２０１をネジ止めして、周方向を位置決めした上で、表示部１０、ヒンジプレート３２及びベース部一端部２０ｂで連通するリベット穴３２７、リベット穴３４７及びリベット穴２０７に対し、プッシュリベット９を挿入し、締結させて、ヒンジ中心を固定する。最後に、ステップＳ５で、左右のベース部一端部２０ｂのフック孔２０８に対して、目隠し蓋８を装着する。これにて、血圧計１が完成する。
【００４４】
ここで、回動調整ヒンジ３０は、ステップＳ２、Ｓ３、Ｓ４によって組みあがる。例えば特許文献１では、所定角度に固定可能な停止角度調整ヒンジとして、２枚の硬板で鋼球を挟み、一方により鋼球を回動自在に保持し、その鋼球の一部を他方と摺接可能に突出させる構成を採っているが、鋼球を挟持する部材及びこれらを血圧計に固定するための固定板も必要となり、部品点数も作業工程も要する。一方、本実施例の回動調整ヒンジ３０は、弾性素材からなるヒンジプレート３２を部品に採用し、その受け部を表示部１０に一体形成したことにより、従来のものに比して、大幅に部品点数が減り、かつ組み立ても簡易である。
【００４５】
次に、回動の様子を説明する。図１２は、本発明の血圧計の側面図である。
【００４６】
表示部１０を回動方向Ｒに回すと、ヒンジプレート３２の停止角度用リブ３２０１は、その弾性によって、停止角度用リブ溝３４０１から順に、溝３４０２、溝３４０３、溝３４０４、溝３４０５と、係合とその解消を繰り返しながら移動する。これと同時に、停止角度用リブ３２０６は、停止角度用リブ溝３４０６から順に、溝３４０７、溝３４０８、溝３４０９、溝３４１０と移動する。これにより、表示部１０は、０度〜９０度の角度域では、回動方向Ｒに２２．５度刻みで段階的に自在に回動する（２２．５度刻みで角度停止可能である）。
【００４７】
ここで、表示部１０をさらに回動方向Ｒに回し、９０度以上に回動しようとすると、ヒンジプレート３２の抵抗増加用突起３２４が抗増加用リブ３４１と干渉して、回動不能となる。しかし、抵抗増加用突起３２４は弾性を備えているので、この付勢力に抗して干渉を解消させるほどの負荷をかけて回動させた場合には、９０度以上にも回動可能となり、９０度〜１８０度の域へ回動させることができる。
【００４８】
本発明の構成によれば、表示部１０が、回動の途中で抵抗が大きくなるように構成したため、０度〜９０度の角度域内では自在な回動を許しつつ、９０度以上では回動が硬くなり、一定の負荷をかけなければ回動しないので、表示部１０が自重で倒れることなく安全に使用することができる。一方、一定の負荷をかければ表示部１０は１８０度まで開くので、表示部基端部１０ｂに電池収納部１２を備える構成を採っても、電池の交換作業が容易に行える。
【００４９】
なお、上記は本発明の一実施例であって、回動調整ヒンジ３０の摺動面３０２、３０４の凹凸の関係を逆転させた構成を除外するものではない。
【００５０】
また、所定角度以上に及ぶ際の抵抗増加手段として、回動調整ヒンジ３０の摺動面３０２、３０４の所定角度以上の域に対応する域を粗面にして、所定角度域よりも抵抗を増加させる構成としても、同様の効果が得られる。
【符号の説明】
【００５１】
９…プッシュリベット、１０…表示部、１０ｂ…表示部基端部、１１…電子表示部、１２…電池収納部、２０…ベース部、２０ｂ…ベース部一端部、２０１…位置決め手段であるネジ穴、２０３…位置決め手段であるスリット、２０７、３２７、３４７…リベット穴、３０…回動調整ヒンジ、３０２…プレート側摺動面（プレート裏面）、３０４…ホルダー側摺動面、３２…ヒンジプレート、３０２ｓ…プレート表面、３２１…位置決め手段であるネジ穴、３２３…位置決め手段である外方突起、３２０１、３２０６…停止角度用リブ、３２４…抵抗増加用突起、３４Ｌ，３４Ｒ…ヒンジホルダー部、３４０１〜３４１０…停止角度用リブ溝、３４１…抵抗増加用リブ
【図１】
2015131037.tif 000003
【図２】
2015131037.tif 000004
【図３】
2015131037.tif 000005
【図４】
2015131037.tif 000006
【図５】
2015131037.tif 000007
【図６】
2015131037.tif 000008
【図７】
2015131037.tif 000009
【図８】
2015131037.tif 000010
【図９】
2015131037.tif 000011
【図１０】
2015131037.tif 000012
【図１１】
2015131037.tif 000013
【図１２】
2015131037.tif 000014